(57)【要約】  吸収性物品を着用した時に、前記吸収性物品の内側の方を向く内面及び着用者の身体の方を向く外面を有する液体透過性トップシートを備えている生理用品。前記トップシート外面の少なくとも一部分に有効量のローションコーティングが含まれており、前記ローションコーティングは約２５℃で半固体又は固体であるとともに、着用者の身体に部分的に移動可能である。前記ローションコーティングには、石油系炭化水素及び低分子量グリコール又は多価アルコールが含まれているキャリア約６０〜約９９．９％と、融点が約４５℃〜約１１０℃の脂肪族アルコール約０．２％〜約６５％が含まれている。バックシートは前記トップシートに結合しており、吸収性コアは前記トップシートと前記バックシートの間に配置されている。
2009507547.tif 000002
【特許請求の範囲】
【請求項１】
（Ａ）吸収性物品を着用した時に前記吸収性物品の内側の方を向く内面及び着用者の皮膚の方を向く外面を備えており、トップシート外面の少なくとも一部分に有効量のローションコーティングが含まれており、前記ローションコーティングが約２５℃で半固体又は固体であるとともに、着用者の身体に部分的に移動可能である液体透過性トップシートであって、前記ローションコーティングに、
（ｉ）石油系炭化水素及び低分子量グリコール又は多価アルコールが含まれているキャリア約６０〜約９９．９％と、
（ｉｉ）融点が約４５℃〜約１１０℃の脂肪族アルコール約０．２％〜約６５％とが含まれている液体透過性トップシートと、
（Ｂ）前記トップシートに結合しているバックシートと、
（Ｃ）前記トップシートと前記バックシートの間に配置されている吸収性コアとを備えた生理用品。
【請求項２】
前記ローションコーティングが疎水性である、請求項１に記載の吸収性物品。
【請求項３】
前記低分子量グリコール又は多価アルコールがポリプロピレングリコールである、請求項１に記載の吸収性物品。
【請求項４】
前記ポリプロピレングリコールの分子量が、約４２５ｇ／モル〜約２０２５ｇ／モルである、請求項３に記載の吸収性物品。
【請求項５】
前記生理用品が、生理用ナプキン、パンティライナー及び失禁用品から成る群から選択されている、請求項１に記載の吸収性物品。
【請求項６】
前記トップシートが、不織布材料及び成形されたフィルム材料から成る群から選択されている、請求項１に記載の吸収性物品。
【請求項７】
前記トップシートが疎水性である、請求項１に記載の吸収性物品。
【請求項８】
前記ローションコーティングが、前記トップシートに不均一に配置されている、請求項１に記載の吸収性物品。
【請求項９】
前記ローションコーティングが、前記トップシート上で、前記物品に対してほぼ長手方向に向いているストライプ状に配置されている、請求項１に記載の吸収性物品。
【請求項１０】
前記トップシートが疎水性であり、前記ローションが疎水性であり、前記ローションが前記トップシート上にほぼ平行なストライプ状に配置されている、請求項１に記載の吸収性物品。
【請求項１１】
前記ローションによって覆われている領域において、前記ローションコーティングは約０．０２ｍｇ／ｃｍ２〜約１０．０ｍｇ／ｃｍ２の量で適用されている、請求項１に記載の吸収性物品。
【請求項１２】
（Ａ）吸収性物品を着用した時に前記吸収性物品の内側の方を向く内面及び着用者の皮膚の方を向く外面を備えており、トップシート外面の少なくとも一部分に有効量のローションコーティングが含まれており、前記ローションコーティングが約２５℃で半固体又は固体であるとともに、着用者の身体に部分的に移動可能である液体透過性トップシートであって、前記ローションコーティングに、
（ｉ）石油系炭化水素が含まれているキャリア約６０〜約９９．９％と、
（ｉｉ）融点が約４５℃〜約１１０℃の脂肪族アルコール約０．２％〜約６５％と、
（ｉｉｉ）シルクプロテイン約０．００１〜約２５％とが含まれている液体透過性トップシートと、
（Ｂ）前記トップシートに結合しているバックシートと、
（Ｃ）前記トップシートと前記バックシートとの間に配置した吸収性コアとを備えた生理用品。
【請求項１３】
前記ローションコーティングが疎水性である、請求項１２に記載の吸収性物品。
【請求項１４】
前記ローションコーティングにシルクプロテインが約０．０２５〜約１０％含まれている、請求項１２に記載の吸収性物品。
【請求項１５】
前記シルクプロテインが、シルク繊維、セリシン、シルクアミノ酸、シルクペプチド又はこれらの混合物から成る群から選択されている、請求項１４に記載の吸収性物品。
【請求項１６】
前記生理用品が、生理用ナプキン、パンティライナー及び失禁用品から成る群から選択されている、請求項１２に記載の吸収性物品。
【請求項１７】
前記トップシートが疎水性であり、前記ローションが疎水性であり、前記ローションが前記トップシート上にほぼ平行なストライプ状に配置されている、請求項１２に記載の吸収性物品。
【請求項１８】
（Ａ）吸収性物品を着用した時に前記吸収性物品の内側の方を向く内面及び着用者の皮膚の方を向く外面を備えており、トップシート外面の少なくとも一部分に有効量のローションコーティングが含まれており、前記ローションコーティングが約２５℃で半固体又は固体であるとともに、着用者の身体に部分的に移動可能である液体透過性トップシートであって、前記ローションコーティングに、
（ｉ）石油系炭化水素が含まれているキャリア約６０〜約９９．９％と、
（ｉｉ）融点が約４５℃〜約１１０℃の脂肪族アルコール約０．２％〜約６５％と、
（ｉｉｉ）分枝鎖アミノ酸及び酵素活性化剤約０．００１〜約２５％とが含まれている液体透過性トップシートと、
（Ｂ）前記トップシートに結合しているバックシートと、
（Ｃ）前記トップシートと前記バックシートの間に配置されている吸収性コアとを備えた生理用品。
【請求項１９】
前記分枝鎖アミノ酸が、ロイシン、イソロイシン、バリン又はこれらの混合物から成る群から選択されている、請求項１８に記載の吸収性物品。
【請求項２０】
前記酵素活性化剤が、オクタン酸、ヘキサン酸、α−ケトイソカプロン酸及びチアミンジホスフェート又はこれらの混合物から成る群から選択されている、請求項１８に記載の吸収性物品。
【請求項２１】
（Ａ）吸収性物品を着用した時に前記吸収性物品の内側の方を向く内面及び着用者の皮膚の方を向く外面を備えており、トップシート外面の少なくとも一部分に有効量のローションコーティングが含まれており、前記ローションコーティングが約２５℃で半固体又は固体であるとともに、着用者の身体に部分的に移動可能である液体透過性トップシートであって、前記ローションコーティングに、
（ｉ）石油系炭化水素が含まれているキャリア約６０〜約９９．９％と、
（ｉｉ）融点が約４５℃〜約１１０℃の脂肪族アルコール約０．２％〜約６５％と、
（ｉｉｉ）イソフラボン約０．００１〜約４０％とが含まれている液体透過性トップシートと、
（Ｂ）前記トップシートに結合しているバックシートと、
（Ｃ）前記トップシートと前記バックシートの間に配置されている吸収性コアとを備えた生理用品。
【請求項２２】
前記イソフラボンが、大豆イソフラボン、クローバーイソフラボン、ゲネステイン、ダイゼイン、フォルモノネチン、バイオチャニンＡ、Ｓ−エクオル、Ｒ−エクオル又はこれらの混合物から成る群から選択されている、請求項２１に記載の吸収性物品。
【発明の詳細な説明】
【技術分野】
【０００１】
本出願は、経血を吸収させるための生理用ナプキンなどの生理用品に関する。より具体的には、本発明はトップシートの外面上に疎水性ローションのコーティングを有する生理用品に関するもので、このローションは、通常の接触及び着用者の動き及び／又は体温により着用者の皮膚に移動可能である。
【背景技術】
【０００２】
ローション付きトップシートを備えたおむつ、トレーニングパンツ、及び生理用品のような使い捨て吸収性物品が既知である。様々な種類のローションがおむつかぶれの予防又は治療といった様々な皮膚への効果をもたらすことは既知である。これらのローションは、例えば、吸収性物品のトップシートに適用することができ、使用中に着用者の身体に移動可能である。
【０００３】
多くの種類の使い捨て吸収性物品と異なり、ナプキン及びパンティライナーのような生理用品は、月経液を捕捉するように特に設計されている。月経液は尿のような他の滲出液とは、粘度及び化学組成といった多くの重要な特性において異なっている。そのため、月経液を最大に吸収するように最適化させるためには、生理用品は構造上の構成成分の点で乳児用おむつのような用品とは異なるべきである。
【０００４】
吸収性物品のトップシートへのローションの添加は、乳児の排便をより簡単に片付けられるといった効果をもたらすことが既知である。同様に、トップシート上のローションは、おむつかぶれが減少するような、乳児にとってより良好な皮膚上の健康を提供することが既知である。例えば、米国特許第３，４８９，１４８号（ダンカン（Duncan）ら）は、疎水性及び疎油性トップシートを備えた乳児用おむつを教示しており、トップシートの一部分を油脂性材料の不連続フィルムによりコーティングする。ダンカン（Duncan）らの参考文献に開示されているおむつの主なデメリットは、疎水性及び疎油性トップシートが、内在する吸収性コアへの尿の移動を促すのが遅いことである。経血の粘度は尿よりはるかに高いため、ダンカン（Duncan）らの参考文献に関連するその問題は、更に深刻である。
【０００５】
ダンカン（Duncan）の参考文献の問題を克服するための一つの成功した試みは、米国特許第５，９６８，０２５号（ロー（Roe）ら）に開示されている。ロー（Roe）らは吸収性物品を開示しており、ローションを親水性トップシート（又は親水性にされたトップシート）に適用するというものである。親水性トップシートは、尿の噴出が、例えば乳児用おむつの側面に流出するのではなく、内在するコア中に確実に適切に吸収されるように補助する。
【０００６】
吸収性製品のトップシートにローションを適用する既知の試みは、乳児のお尻に、より良好な皮膚の健康といった効果をもたらすことを目的とする、乳児用おむつを主に対象としてきた。生理用パッドを着用する際の成人女性の身体に関連した特有の問題については、ほとんど関心が向けられて来なかった。成人女性の外陰領域の皮膚は、乳児のお尻の皮膚（一般に臀部の皮膚）とは大きく異なっている。外陰部は、後臀溝及び会陰から前恥丘まで、横方向には間擦部（intertriginous zones）間の領域を含むと理解される。皮膚表面が異なると、ローションの必要性も大きく異なってくる。例えば、生理中の女性は、おむつかぶれを心配するのではなく、個人衛生、即ち衛生パッドの使用後に皮膚及び体毛（「身体」）上に残留する経血の量を減少させることに、より関心を寄せている。
【０００７】
吸収性物品のトップシート上にローションを提供する前述の試みは、比較的短時間で尿の噴出を処理するために必要なローション／トップシートの特徴に焦点を合わせてきた。しかしながら生理用品については、流体排泄物は、生理化学特性（例えば、粘度、流体力学など）に関連して、並びに吸収すべき容積及び時間について、非常に異なる特徴がある。例えば、月経の流れは、典型的には二つの型から成る。これらの型の内の一つは「したたる」流れであり、これは１時間当たり０．１〜２ｍＬまで変化する。第二の型は「噴出する」流れであり、これは数秒間にわたって放出される容積が数ｍＬから変化する。噴出する流れは膣にたまる経血の蓄積の結果として生じる可能性があり、これは次に、座った状態から立った状態への移行のような、姿勢を変えることによって、体から出てくることになる。いずれにしても、噴出する流れに関してさえも、所与の時間にコア中に吸収されることが必要な流体の総量は、例えば乳児用おむつのような他の吸収性製品に必要とされるものよりはるかに少ない。一つの実用的な結果として、生理用品は、噴出する流体を処理するように設計する必要があるというよりむしろ、より典型的には「吸い取り」効果によって、流体を処理するということである。
【発明の開示】
【発明が解決しようとする課題】
【０００８】
それ故に、生理中の女性における皮膚の衛生状態を改良するために、生理用品の改善の必要性が生じている。
【０００９】
加えて、より多くの経血が用品内に入って留まり、着用者の皮膚及び体毛上の経血がより少なくなるように、改善された流体処理機能を有する生理用品の必要性がある。
【課題を解決するための手段】
【００１０】
吸収性物品が着用された時に、吸収性物品の内側の方を向く内面及び着用者の身体の方を向く外面を有する液体透過性トップシートを備える生理用品。トップシート外面の少なくとも一部分には有効量のローションコーティングが含まれており、ローションコーティングが約２５℃で半固体又は固体であるとともに、着用者の身体に部分的に移動可能である。ローションコーティングには、石油系炭化水素及び低分子量グリコール又は多価アルコールが含まれているキャリア約６０〜約９９．９％と、融点が約４５℃〜約１１０℃の脂肪族アルコール約０．２％〜約６５％が含まれている。バックシートはトップシートに結合しており、吸収性コアはトップシートとバックシートの間に配置されている。
【発明を実施するための最良の形態】
【００１１】
図１は、生理用品１０を示しており、生理用品１０は、トップシート１４を備えている身体接触面１２と、このトップシート１４に結合する液体不透過性バックシート１６と、吸収性コア１８を有する衛生ナプキン又はパンティライナーにすることができる。衛生ナプキン１０は長手方向軸Ｌを有しており、且つ、ナプキンで一般的に見られる追加的特徴（当該技術分野において既知の「ウィング」又は「フラップ」（図示せず）など）、及び／又は吸収性コア１８への流体輸送を促進するための流体獲得層を備えていてよい。同様に、衛生ナプキンのトップシートは当該技術分野において既知の、様々な任意の特徴を有することができる。例えば、トップシート１４はその中にエンボス加工された流体の流れを導くための通路を有することができ、且つ流体獲得を補助するためにそこを通る開口を有し得る。本発明の生理用品１０のトップシート１４は、トップシート上に配置されるローション組成物２２を有する。
【００１２】
本発明のトップシート１４及びローション組成物２２は、既知のトップシート及びローションを超える著しい効果を提供する。特に、好ましい実施形態では、トップシート１４を疎水性又は疎水性にしており、ローションもまた疎水性である。疎水性度は、平衡にある物質の表面上に水滴が作る角を測定するというような、標準的技術により決定され得る。一般に、本発明の目的上、水滴が約６０°以上の角度を示す場合には物質は疎水性であると考えられる。繊維のポリマーから形成されるフィルムシートが６０°を超える、より好ましくは７５°、及び更により好ましくは約９０°を超える水との接触角を示す場合には、繊維は疎水性であると考えられる。疎水性の尺度としての接触角は当該技術分野において周知であり、接触角を測定する方法も同様に周知である。周知のように、約９０度を超える接触角は疎水性と考えられ、９０度未満の接触角は親水性と考えられる。しかしながら本明細書で使用する時は、６０°以上の接触角は疎水性と考える。トップシート及びローションの疎水性度はそれぞれ等しくすることができ、又はローションの疎水性をトップシートの疎水性より大きくすることもできる。使用中、ローションはトップシートから着用者の皮膚に移動することができ、これは皮膚及び体毛を同様に疎水性にするために役立つ。
【００１３】
本発明の利点は、月経液の流れと、例えば乳児の尿の流れの相違点を理解すれば、認識することができる。乳児用おむつのトップシートは、ローションが施されていてもされていなくても、親水性であるように一般的には教示されており、それによって突然の尿の噴出を、トップシートを通ってコアの中に最小の流体の流出で獲得することができる。しかしながら、月経液は、これは量及び時間の両方において、はるかに高い粘度及びはるかに遅い流体の流れを有するが、疎水性トップシートにより非常に有効に処理され得ることが分かっている。意外なことに、尿は疎水性トップシートから、特に疎水性ローションにより処理されたものから簡単に流出する可能性がある一方で、こうした構造は、生理中の女性のための生理用パッドに優れた効果をもたらすことが明らかになった。別の意外な利益は、本発明の生理用品の使用中における外陰領域の皮膚及び体毛のコーティングであり、これは外陰領域の皮膚及び体毛がより清浄であるという結果をもたらす。更に別の効果は、着用者の皮膚へのローションの移動により、流体の流体捕捉性が向上することであり、このことは出口点から離れた着用者の皮膚及び体毛上での流体輸送を最小限にする。
【００１４】
理論によって制限されないが、本発明の優れた利点は疎水性トップシート及び疎水性ローションの組み合わせにより最高に発揮されると考えられる。ローションは、例えば親水性／親油性バランス（ＨＬＢ）が７以下である場合は疎水性と考えられる。
【００１５】
本発明のローション組成物には、紅斑、悪臭、及び細菌による皮膚疾患の予防及び治療に極めて有効であるヘキサミジン、酸化亜鉛、及びナイアシンアミドのような身体治療剤の選択された組み合わせを含むことができ、特にこれらのローション組成物を吸収性物品上の適用部から身体に適用させる場合には極めて有効である。
【００１６】
「身体治療剤」という用語は、本明細書で使用する時、哺乳類の身体の皮膚又は体毛で有効な治療法を含むとともに、身体に移動すると、皮膚疾患、特に紅斑、悪臭及び細菌感染に関連した皮膚疾患の発生を予防し、減らし、及び／又は排除することが可能な物質を指す。本明細書で使用する「皮膚疾患」という用語は、刺激性、急性、又は慢性の皮膚異常に関連する症状を指す。こうした症状の例としては、痒み、炎症、発疹、火傷、刺創、紅化、腫れ、過敏症、熱感覚、剥離／鱗屑、悪臭などが挙げられるが、これらに限定されない。本明細書中で使用する時、「周囲条件」という用語は、約１気圧、相対湿度約５０％、及び約２５℃における周囲条件を指す。
【００１７】
本発明のローション組成物は、本明細書に記載した発明の要素及び制限事項、並びに本明細書に記載した追加の又は任意の成分、構成成分、又は制限事項を含むことができ、それらから成ることができ、又は本質的にそれらから成ることができる。すべての割合、部及び比は、別段の指定がない限り、全組成物の重量に基づいている。列挙する成分に関するこのようなすべての重量は、具体的成分の濃度に基づいており、そのため別段の指定のない限り、市販の材料に含まれている可能性があるキャリアや副生成物を含まない。
【００１８】
Ｉ．皮膚治療剤本発明のローション組成物には、皮膚と湿気の多い空気の接触の結果として生じ得る皮膚疾患、湿気又はその他の身体滲出液に曝された皮膚から生じ得る長期間にわたる湿ったヒト組織の結果として生じる皮膚疾患、及び／又は皮膚と微生物若しくは細菌媒介物の接触から発生する皮膚疾患の発生を減少及び排除することができる皮膚治療剤の選択された組み合わせが相対的に低い濃度で含まれている。「皮膚治療剤の選択された組み合わせ」という文言は、ａ．ヘキサミジン、酸化亜鉛、及びナイアシンアミド、ｂ．ヘキサミジン及び酸化亜鉛、及びｃ．ヘキサミジン及びナイアシンアミドの組み合わせを意味する。
【００１９】
驚くべきことに、身体治療剤の選択された組み合わせは、先行技術におけるそれらの使用と比較すると、含まれる個別の濃度は低く、なお有効であり得る。例えば、本発明のローション組成物には、ヘキサミジンが約０．１重量％以下、酸化亜鉛が約１重量％以下、及びナイアシンアミドが約２重量％以下の濃度で含まれており、これらの皮膚治療剤がより高い濃度で一般に含まれている既知のローション組成物と比較して、皮膚疾患の予防及び／又は治療において、等しいか又は優れた効果を達成することができる。同様に、本発明の組成物における身体治療剤の選択された組み合わせの総有効濃度もまた相対的に低い。身体治療剤の選択された組み合わせの総濃度は、ローション組成物の約０．００２重量％〜約１０重量％、好ましくは約０．０１重量％〜約５重量％、より好ましくは約０．１重量％〜約２重量％の範囲である。
【００２０】
Ａ．ヘキサミジン：本発明のローション組成物には、ヘキサミジン身体治療剤が組成物の約０．００１重量％〜約０．１重量％、約０．００５重量％〜約０．１重量％、又は更には約０．０１重量％〜約０．１重量％の範囲の濃度で含まれている。本発明で使用するのに好適なヘキサミジン身体治療剤としては、次の式に一般に適合する芳香族ジアミンが挙げられる。
【化１】
2009507547.tif 000003
【００２１】
これらの芳香族ジアミンは、４，４’−［１，６−ヘキサンジイルビス（オキシ）］ビスベンゼンカルボキシイミドアミド、４，４’−（ヘキサメチレンジオキシ）ジベンズアミジン、及び４，４’−ジアミジノ−α，ω−ジフェノキシヘキサンと呼ばれる。ヘキサミジンの最もよく使用される形態は、ヘキサミジン塩の一般的な種類であり、ヘキサミジンの、酢酸塩、サリチル酸塩、乳酸塩、グルコン酸塩、酒石酸塩、クエン酸塩、リン酸塩、ホウ酸塩、硝酸塩、硫酸塩、及び塩酸塩が挙げられる。ヘキサミジン塩の具体的な非限定例としては、イセチオン酸ヘキサミジン、ジイセチオン酸ヘキサミジン、塩酸ヘキサミジン、グルコン酸ヘキサミジン、及びこれらの混合物が挙げられる。ヘキサミジンイセチオネート及びヘキサミジンジイセチオネートは、ヘキサミジンのβヒドロキシエタンスルホネート塩であり、これは皮膚疾患の予防及び／又は治療における皮膚治療剤として本明細書で使用するのに好ましい。ヘキサミジンジイセチオネートは、本明細書に皮膚治療剤として使用するのに好適な最も好ましいヘキサミジン化合物であり、並びにラボラトリーズ・セロロバイロジクーズ（Laboratories Serolobilogiques）（フランスのプルノイ（Pulnoy））から、コグニス・インコーポレーション（Cognis Incorporation）（オハイオ州シンシナティ（Cincinnati））からエラスタブ（ELASTAB）ＨＰ１００の商標名により入手可能である。
【００２２】
ヘキサミジン化合物は、皮膚の痒み及び不快な臭気をもたらす可能性がある微生物増殖を制御することができる有効な身体治療剤として知られている。そのため、これらの皮膚治療剤はしばしば抗菌剤とも呼ばれる。本明細書で使用する「抗菌剤」という用語は、微生物の成長及び代謝を破壊又は抑制するために機能する物質を指し、並びに抗細菌剤、抗カビ剤、抗原虫剤、駆虫剤、及び抗ウイルス剤の一般的な分類を含む。
【００２３】
しかしながら、低濃度（約０．１重量％以下）のヘキサミジンは、特に少量のヘキサミジンが低濃度の酸化亜鉛及び／又はナイアシンアミドのような他の抗菌剤と組み合わせる場合には、皮膚の刺激性感染の減少及び／又は予防の改善をもたらすことが分かっている。ヘキサミジン及び酸化亜鉛及び／又はナイアシンアミドの組み合わせは、局所的に及び内部的に、これら個々の構成成分適用投与量の有効量未満の総濃度で投与することができる。本明細書で使用する「有効量」という用語は、痒み及び炎症などの刺激性、急性、又は慢性の症状を生じさせるいずれかの顕著な又は許容可能でない皮膚の異常を減少及び／又は予防する場合において、拒絶反応が最小限であるか又は全くなく治療の効果をもたらす量を指す。
【００２４】
その他の芳香族ジアミンもまた本明細書の皮膚治療剤として用いるのに好適である。こうした化合物としては、イセチオン酸ブタミジン（butamidine）などのブタミジン（butamidine）及びその誘導体；イセチオン酸ペンタミジン及び塩酸ペンタミジンなどのペンタミジン及びその誘導体；イセチオン酸ジブロモプロパミジンなどのジブロモプロパミジン及びその誘導体；ヒドロキシスチルバミジン、スチルバミジンジヒドロクロリド、及びイセチオン酸スチルバミジンなどのスチルバミジン及びその誘導体；ジアミノジアミジン及びその誘導体；並びにこれらの混合物が挙げられる。
【００２５】
Ｂ．酸化亜鉛：本発明のローション組成物は、酸化亜鉛身体治療剤を、組成物の約０．００１重量％〜約１０重量％、好ましくは約０．００５重量％〜約５重量％、より好ましくは約０．００５重量％〜約２重量％、最も好ましくは約０．０１重量％〜約１重量％の範囲の濃度で含む。酸化亜鉛身体治療剤には、抗菌効果をもたらすために、ヘキサミジン及びナイアシンアミド皮膚治療剤と容易に混合することができる場合に限り、個々の又は組み合わせた酸化亜鉛を個々の酸化亜鉛化合物として、又は酸化亜鉛の組み合わせとして組成物中に含むことができる。
【００２６】
本発明で使用するのに好適な酸化亜鉛身体治療剤としては、式ＺｎＯに適合する無機の白色粉末及び黄色がかった白色粉末が挙げられ、これはメルクインデックス（Merck Index）の１１版、登録１００５０、１５９９ページ（１９８９年）に、より詳細に記載されている。酸化亜鉛の幾つかの特に有用な形態には、約１ｎｍ（ナノメートル）〜約１０μｍ（マイクロメートル）、あるいは約１０ｎｍ〜約１μｍ、又は更には約２０ｎｍ〜約５００ｎｍの範囲の平均粒度直径で製造され、市販されるものが挙げられる。驚くべきことに、製品使用中に吸収性物品のトップシートから着用者の身体への酸化亜鉛含有皮膚軟化剤の移動の結果として生じる、望ましくない皮膚又は体毛の白色化を、上述の相対的に小さいナノ粒子直径サイズの酸化亜鉛の使用が回避することを、本発明者は発見した。製品が、パンティーライナー、生理用ナプキン、失禁用ブリーフ、又はその他の吸収性物品である場合に、これは特に有益である。その他の吸収性物品とは、ローション組成物が移動するであろう領域に、体毛を有する成人によって使用されるように意図された吸収性物品である。
【００２７】
市販の酸化亜鉛には、ニュージャージー州のサウスプレーンフィールド（South Plainfield）所在のコボ・インコーポレーション（Kobo Incorporation）から市販されている、商標名ウルトラファイン（ULTRAFINE）３５０として販売される白色の酸化亜鉛粉末が挙げられる。その他の好適な酸化亜鉛物質には、ユニケマ・インコーポレーション（Uniqema Incorporation）（デラウェア州ウィルミントン（Wilimington））より商標名アーレセル（Arlecel）（登録商標）Ｐ１００として入手可能な、酸化亜鉛とポリヒドロキシステアリン酸のような分散剤とのプレミックス、並びにイケダ・インコーポレーション（Ikeda Incorporation）（ニューヨーク州アイランドパーク（Island Park））より商標名サラコス（Salacos）（登録商標）９９として入手可能な、酸化亜鉛とイソノニルイソノナノエート分散剤とのプレミックスが挙げられる
Ｃ．ナイアシンアミド：本発明の皮膚活性成分には、ナイアシンアミド身体治療剤が、個々のナイアシンアミド又はナイアシンアミドの組み合わせとして、ローション組成物の約０．０１重量％〜約１０重量％、好ましくは約０．０５重量％〜約５重量％、より好ましくは約０．２重量％〜約２重量％の範囲の、ナイアシンアミドの総濃度で含まれてもよい。ナイアシンアミド身体治療剤は、スキンコンディショニング効果をもたらし、皮膚疾患の抑制における身体治療剤の有効性の向上をもたらす。
【００２８】
本発明のローション組成物で使用するのに好適なナイアシンアミド身体治療剤の非限定例としては、ニコチン酸のアミド誘導体であり、一般に次式に適合するナイアシンアミド化合物が挙げられる。
【化２】
2009507547.tif 000004
【００２９】
ナイアシンアミド及びニコチン酸は、ビタミンＢ３及びビタミンＢ５としても既知であり、一方ナイアシンアミドは活性形態で一般的に用いられる。身体治療剤として本発明で使用するのに、塩誘導体が含まれているナイアシンアミド誘導体もまた好適である。好適なナイアシンアミド誘導体の非限定具体例としては、ニコチン尿酸及びニコチニルヒドロキサム酸が挙げられる。
【００３０】
ナイアシンアミド身体治療剤はまた、酸性化されたナイアシンアミド化合物として組成物中に含まれることができる。ナイアシンアミド化合物の酸性化プロセスは、当業者には初歩的なものであり、一つのこうした技術は、ナイアシンアミドをアルコール溶液中に溶解すること、攪拌しながらステアリン酸のような脂肪酸の当モル量を添加すること（例えば一部のナイアシンアミドを２．４部のステアリン酸に混合する）、次いでアルコールが蒸発するまで混合物を空気乾燥することを伴う。ナイアシンアミドの酸性化プロセスに使用できる好適なステアリン酸化合物は、コグニス・コーポレーション（Cognis Corporation）より入手可能であり、商標名イマーゾール（Emersol）（登録商標）１５０として販売されるステアリン酸である。
【００３１】
上記のナイアシンアミド化合物の例は、当該技術分野において周知であり、多数の供給元、例えば、シグマ・ケミカル社（the Sigma Chemical Company）（ミズーリ州セントルイス（St Louis））；ＩＣＮバイオメディカルズ・インコーポレーション（ICN Biomedicals, Incorporation）（カリフォルニア州アーバイン（Irvin））；アルドリッチ・ケミカル社（Aldrich Chemical Company）（ウィスコンシン州ミルウォーキー（Milwaukee））；ＥｍインダストリーズＨＨＮ（Em Industries HHN）（ニューヨーク州ホーソーン（Hawthorne））より市販されている。
【００３２】
Ｄ．任意の構成成分：本発明で有用な任意の好適な身体治療活性物質の非限定例としては、アラントイン；水酸化アルミニウムゲル；カラミン；塩酸システイン；ラセミ体メチオニン；重炭酸ナトリウム；ビタミンＣ及びその誘導体；セリンプロテアーゼ、メタロプロテアーゼ、システインプロテアーゼ、アスパルチルプロテアーゼ、ペプチダーゼ、及びフェニルスルホニルフロオライドを含むプロテアーゼ抑制剤；リパーゼ；ジエステラーゼを含むエステラーゼ；ウレアーゼ；アミラーゼ；エラスターゼ；ヌクレアーゼ；グアニジノ安息香酸並びにその塩と誘導体；カモミールを含む草木抽出物；並びにこれらの混合物が挙げられる。グアニジノ安息香酸並びにその塩と誘導体は、米国特許第５，３７６，６５５号（イマキ（Imaki）ら、１９９４年１２月２７日発行）に、より詳細に記載されている。これらその他の好適な皮膚治療活性物質は、典型的にはローション組成物の約０．００１重量％〜約１０重量％の範囲の濃度で含まれている。
【００３３】
さらに、必須身体治療構成成分及びキャリア構成成分と、物理的及び化学的に適合性があるか、あるいは製品の安定性、審美性、又は性能を過度に損なわない場合に限り、ローション組成物で使用するのに既知の又はそれ以外の有効な１つ以上の任意構成成分を含んでもよい。こうした任意構成成分は、典型的には組成物の約０．００１重量％〜約２０重量％の範囲の濃度で含まれており、水、皮膚コンディショニング剤、香料、防臭剤、不透明化剤、収れん剤、防腐剤、乳化剤、皮膜形成剤、安定剤、タンパク質、レシチン、尿素、コロイド状オートミール、ｐＨ制御剤、及び米国の食品医薬品局（ＦＤＡ）により、２１Ｃ．Ｆ．Ｒ．§３４７のもとでヒトの皮膚への使用について安全であると見なされたその他のモノグラフにある物質といった物質が挙げられる。本発明のローション組成物で使用するその他の任意構成成分としては、脂肪若しくは油、又は精油が挙げられる。これらの油は、組成物の約０．０００１重量％〜１０重量％の範囲の濃度で存在することができ、これらの油としては、アニス油、杏仁油、アボガド油、バームミント油、ババス油、ルリヂサシード油、バター、ビーバーム油、バーチ油、、ビターアーモンド油、ビターオレンジ油、Ｃ１０〜Ｃ１８トリグリセリド、Ｃ１２〜Ｃ１８トリグリセリド酸、ツバキ油、キンセンカ油、カリフォルニアナツメグ油、カノーラ油、カプリル／カプリン／ラウリントリグリセリド、カプリル／カプリン／リノールトリグリセリド、カプリル／カプリン／ステアリントリグリセリド、カプリル／カプリン／トリグリセリド、キャラウェー油、ニンジン油、カシューナッツ油、ヒマシ油、カモミール油、チェリーピット油、キア油、桂皮油、クローバーリーフ油、丁子油、ココアバター、ココナツ油、肝油、コリアンダー油、トウモロコシ胚芽油、トウモロコシ油、綿実油、サイプレス油、エポキシ化大豆油、月見草油、ユーカリ油、ウイキョウ油、クチナシ油、ゼラニウム油、ショウガ油、グリセリルトリアセチルヒドロキシステアレート、グリセリルトリアセチルリシノレエート、グリコスフィンゴリピド、グレープシード油、グレープフルーツ油、ヘーゼルナッツ油、ヒト胎盤脂質（Human Placental Upids）、ハイブリッドサフラワー油、ハイブリッドヒマワリ種子油、硬化ヒマシ油（Hydrogenated Castor Oil）、硬化ココナツ油、硬化綿実油、硬化Ｃ２〜Ｃ１トリグリセリド、硬化魚油、硬化ラード、硬化メンハーデン油、硬化ミンク油、硬化オレンジラッフィー油、硬化パーム核油、硬化パーム油、硬化ピーナッツ油、硬化鮫肝油、硬化大豆油、硬化タロー、硬化植物油、ヒプティス油、杜松油、キーウィ油、月桂樹油、ラノリン及びラノリン誘導体、ラード、ラウリン酸／パルミチン酸／オレイン酸トリグリセリド、ラベンダー油、レモングラス油、レモン油、レスクェレラ油、ラビッジ油、マカデミアナッツ油、マレイン酸塩化大豆油、マンダリンオレンジ油、メドウファーム（Meadowfoarn）シード油、メンハーデン油、ミンク油、モリンガ油、モルティエラ油、ジャコウバラ油、ニーツフット油（Neatsfoot Oil）、ナツメグ油、オレイン／リノール／トリグリセリド、オレイン／パイミティック（Paimitic）／ラウリン／ミリスチン／リノールトリグリセリド、オレオステアリン（Oleostearine）、オリバナーン（Olibanurn）、オリーブハスク油、オリーブ油、オーネンタル脂質（Ornental Lipids）、オレンジフラワー油、オレンジ油、オレンジラッフィー油、パーム核油、パーム油、ピーチカーネル油、ピーナッツ油、ペンガワージャンビ（Pengawar Djambi）油、ペパーミント油、ペンタデスマ（Pentadesma）バター、リン脂質、ピスタチオナッツ油、松根油、胎盤脂質、菜種油、米糠油、ローズヒップ油、ローズマリー油、ローズ油、ルー油、紅花油、セージ油、ビャクダン油、ササフラス油、ゴマ油、鮫肝油、シアバター、大豆油、スペアミント油、スフィンゴ脂質、ヒマワリ種子油、スイートアーモンド油、スイートマジョラム油、スイートバイオレット油、トール油、タロー、ティーツリー油、タイム油、トリベヘニン油、トリカプリン、トリカプリリン、トリヘプタノイン（Triheptanoin）、トリヒドロキシメトキシステアリン、トリヒドロキシステアリン、トリイソノナノイン、トリイソステアリン、トリラウリン、トリリンオレイン、トリリンオレニン、トリミリスティン、トリオクタノイン、トリオレイン、トリパルミチン、トリセバチン、トリステアリン、トリウンデカノイン、くるみ油、ふすま脂質、小麦胚芽油、ワイルドミント油、ヤロウ油、イランイラン油、ザドアリー油（Zadoary Oil）、Ｃ１０脂肪酸：アラキジン酸、ベヘン酸、カプリン酸、カプロン酸、カプリル酸、ココナツ酸、コーン酸、綿実酸、硬化ココナツ油、硬化メンハーデン酸、硬化タロー酸、ヒドロキシステアリン酸、イソステアリン酸、ラウリン酸、リノール酸、リノレン酸、ミリスチン酸、オレイン酸、パルミチン酸、パーム核酸、ペラルゴン酸、リシノール酸、大豆酸、ステアリン酸、タロー酸、ウンデカン酸、ウンデシレン酸、小麦胚芽酸など並びにこれらの混合物のような物質が挙げられる。本発明において有用であることが明らかである具体的な任意のローションコンディショニング剤としては、パンテノール、グリセリン、並びにカモミール油が挙げられ、これらについては以下で詳細に記載する。
【００３４】
ローション組成物で使用する他の既知の任意成分又は別の有効な任意成分には、天然脂肪／油と組み合わせて作用し、天然の皮膚バリアを高め、皮膚バリアを回復させるステロール、フィトステロール及びステロール誘導体を含めてもよい。本発明の組成物で使用可能なステロール及びステロール誘導体としては、１７位にテールを有し、極性基を有さない−ステロール、例えば、コレステロール、シトステロール、スチグマステロール及びエルゴステロールなど、及びＣ１０〜Ｃ３０コレステロール／ラノステロールエステル、コレカルシフェロール、コレステリルヒドロキシステアレート、コレステリルイソステアレート、コレステリルステアレート、７−デヒドロコレステロール、ジヒドロコレステロール、ジヒドロコレステリルオクチルデカノエート、ジヒドロラノステロール、ジヒドロラノステリルオクチルデカノエート、エルゴカルシフェロール、トール油ステロール、大豆ステロールアセテート、ラナステロール、大豆ステロール、アボカドステロール、「アボカジン（AVOCADIN）」（クローダ社（Croda Ltd）（ニュージャージー州パーシッパニー）の商標名）、ステロールエステル及び類似化合物、並びにこれらの混合物を挙げることができるが、これらに限定されない。フィトステロールの推奨市販品の例は、コグニス・コーポレーション（Cognis Corporation）（オハイオ州シンシナティ）のフェネロール（GENEROL）１２２Ｎ  ＰＲＬ精製大豆ステロールである。
【００３５】
パンテノール：パンテノールは、含まれる場合には、典型的にローション組成物の約０．００１重量％〜約１０重量％、好ましくは約０．００５重量％〜約５重量％、より好ましくは約０．０５重量％〜約１重量％で含まれる。任意のパンテノール身体コンディショニング剤は、身体組織と身体治療剤の相互作用の最中や後に、滑らかな、鎮痛効果のある、柔らかい身体感触を残し得る皮膚軟化効果をもたらす。本発明のローション組成物は、単一のパンテノール化合物又はパンテノール化合物の混合物を含むことができる。
【００３６】
パンテノールの非限定例としては、パントテン酸のアルコール又はエステル誘導体であるパンテノール化合物が挙げられる。パントテン酸は、Ｂ複合体系統の一員であり、しばしばビタミンＢ３と呼ばれる。パントテン酸のように、この酸のパンテノールアルコール誘導体は立体異性体として、例えばＤ（＋）形態、Ｌ（−）形態、ラセミ化合物、並びにＤ（＋）とＬ（−）形態の混合物として存在できる。パンテノールの具体例には、Ｄ−パンテノール（ａ．ｋ．ａ．デクスパンテノール）、並びにｄｌ−パンテノールが挙げられるが、これらに限定されない。パンテノールは、メルクインデックス（Merck Index）の第１１版、登録２９２４、４６４ページ（１９８９年）に、より詳細に記載されており、この記載は参考として本明細書に組み込まれる。市販のパンテノールの例には、Ｆ．ホフマン・ラロシュ社（F. Hoffman LaRoche, Ltd.）の子会社であるロシュ・ビタミンズ・インコーポレーション（Roche Vitamins Incorporation）（ニュージャージー州ナットレー（Nutley））より入手可能であるＤ−パンテノールが挙げられる。
【００３７】
グリセリン：ローション組成物が含まれている場合、ローション組成物には、好ましい任意のグリセリン身体コンディショニング剤が、ローション組成物の約０．０１重量％〜約１０重量％、好ましくは約０．０２重量％〜約５重量％、より好ましくは約０．０５重量％〜約２重量％の範囲の濃度で含まれている。任意のグリセリン身体コンディショニング剤はまた、滑らかな、鎮静効果のある、柔らかい身体感触といった皮膚軟化効果をもたらし、且つナイアシンアミド身体治療剤のための分散剤でもある。
【００３８】
グリセリンは、グリセロール、及び１，２，３−プロパントリオールとも呼ばれるＣ３一価アルコールである。グリセリン誘導体はまた、本明細書の任意のスキンコンディショニング剤として使用するのにも好適であり、こうした誘導体としては、約２〜約１６の繰り返しグリセロール部分を含むポリグリセロールが挙げられる。好適なグリセリンスキンコンディショニング剤の具体例は、グリセリン、ＵＳＰコーシャ（USP Kosher）（登録商標）であり、これはオハイオ州シンシナティ（Cincinnati）所在のプロクター・アンド・ギャンブル社（Procter & Gamble Company）から市販されている。
【００３９】
カモミール：ローション組成物には、好ましい任意のカモミール油がローション組成物の約０．０００１重量％〜約１０重量％、好ましくは約０．００１重量％〜約５重量％、より好ましくは約０．００５重量％〜約２重量％の範囲の濃度で含まれている。任意のカモミール油スキンコンディショニング剤はまた、鎮静などの皮膚への効果をもたらす。カモミール油は、カモミールの花の油抽出物として一般的に調製される。市販のカモミール油の例としては、フィトコンセントロール（Phytoconcentrol）カモミールが挙げられ、これはドラゴコ・インコーポレーション（Dragoco Incorporation）（ニュージャージー州トトワ（Totowa））より入手可能である。
【００４０】
シルクプロテイン又はシルクアミノ酸又はシルクペプチド：シルクプロテインはシルク繊維及びセリシンから構成されている。シルクプロテインは節足動物（phylum Arthropoda）の昆虫（Insecta）綱及びクモ（Arachnida）綱によって生成される。普通種にはカイコ及びクモが含まれる。セリシンは、繭を作ってフィブロイン糸の周りを保護する外皮として作用し、加水分解といった化学プロセスによってシルクプロテインから簡単に分離させることができる。セリシン及び／又はシルクアミノ酸及び／又はシルクペプチドは、皮膚及び体毛に結合されやすく、耐性があり、潤いを与え、保護するフィルムを皮膚／体毛に作る。任意のシルクはまた、鎮静などの効果をもたらす。本発明のローション組成物で使用するシルク誘導体の別の例は、米国特許第４，２３３，２１２号（オトイ（Otoi）ら、本明細書にその内容全体が参考として組み込まれる）に開示されているような非繊維形態又は微粒子形態のシルクフィブロインの微細な粉末である。ローション組成物には、好ましい任意のシルクプロテイン又はシルクアミノ酸又はこれらの混合物が、ローション組成物の約０．０００１重量％〜約２５重量％、好ましくは約０．０００５重量％〜約１５重量％、さらに好ましく約０．００１重量％〜約１０重量％の範囲の濃度で含まれている。シルクプロテイン又はシルクから誘導させたアミノ酸又はペプチドは一般的に、粉末として又は水溶液の一部分として調製される。シルクプロテインの平均分子量は一般的に８０００超であり、分子量が５００，０００を超える場合もある。シルクアミノ酸又はシルクペプチドの溶液の分子量は典型的にはもっと低く、典型的には４０〜４００として説明されている場合がある。市販のシルクプロテインは（クローダ社（Croda Ltd.）（ニュージャージー州パーシッパニー）から入手可能であり、クロシルク（CROSILK）（登録商標）リキッド（LIQUID）（シルクアミノ酸）、クロシルク（CROSILK）（登録商標）１０，０００（加水分解したシルク）、クロシルク（CROSILK）（登録商標）パウダー（POWDER）（粉末化したシルク）及びクロシルククアット（CROSILKQUAT）（ココジモニウムヒドロキシプロピルシルクアミノ酸）という商品名で販売されている。市販のシルクプロテインの別の例はセリシンであり、ペンタファーム社（Pentapharm, LTD）（コーディア（Kordia）の一部門、オランダのｂｖ）から入手可能である。このようなシルクプロテイン混合物のさらなる詳細は、米国特許第４，９０６，４６０号（キム（Kim）ら、ソレンコ（Sorenco）に譲渡、本明細書でその全体が参考として組み込まれる）中で見ることができる。シルクの他の供給先としては、共同研究所（Collaborative Laboratories）のシルクオール（Silkall）１００（登録商標）、シルクプロ（Silkpro）（登録商標）及びシルプロ（SilPRO）（登録商標）シルクエッセンス（Silk Essence）が挙げられる。
【００４１】
分枝鎖アミノ酸及び酵素活性化剤：ローション組成物には、好ましい任意の分枝鎖アミノ酸及び酵素活性化剤又はこれらの混合物が、ローション組成物の約０．０００１重量％〜約４０重量％、好ましくは約０．００１重量％〜約３０重量％、さらに好ましくは約０．００１重量％〜約１０重量％の範囲の濃度で含まれている。分枝鎖アミノ酸は、ロイシン、イソロイシン及びバリン又はこれらの誘導体又はこれらの代謝物から成る群から選択する。酵素活性化剤は、オクタン酸及びその誘導体、ヘキサン酸及びその誘導体、α−ケトイソカプロン酸及びその誘導体、チアミンジホスフェート及びその誘導体及び酵素分枝鎖ケト酸デヒドロゲナーゼを活性化可能な関連物質から成る群から選択される。アミノ酸誘導体又は代謝物は、ノル−ロイシン、ノル−バリン、Ｌ−アロイソロイシン、Ｌ−トレオ−イソロイシン、Ｄ−、Ｌ−、又はＤＬ−ロイシンが含まれているジペプチド及びトリペプチド、イソバレリル−ＣｏＡ、イソバレリルカルニチン、α−メチルブチリルグリシン、α−メチル酪酸、及び米国特許第６１４９９２４号（ハルバジャン・ポール（Harbhajan Paul）、２０００年１１月２１日発行）に記載されているような、関連したアミノ酸及び代謝物から成る群から選択する。ロイシン、イソロイシンはＡ＆Ｅコンノック（Connock）（英国ハンプシャー）からＡＥＣロイシンという商標名で、バリンはＡ＆Ｅコンノック（Connock）（英国ハンプシャー）からＡＥＣイソロイシン及びＡＥＣバリンという商標名で入手することができる。オクタン酸は、Ａ＆Ｅコンノック（Connock）（英国ハンプシャー）からＡＥＣカプリル酸という商標名で、ヘキサン酸は、Ａ＆Ｅコンノック（Connock）（英国ハンプシャー）からＡＥＣカプロン酸という商標名で入手することができる。
【００４２】
フィトステロイド
フィトステロイドは、植物から抽出した物質を意味する。代表的な成分としては、ステロイド様生物活性を有するステロイド性構造及び非ステロイド性構造を挙げることができる。ステロイド性物質の例としては、植物油から誘導させたステロイド、すなわち、シトステロール、スチグマステロール及びカンペステロールが挙げられる。非ステロイド性構造としては、イソフラボン、フラボン及びクメスタンが挙げられる。イソフラボン（ゲネステイン、ダイゼイン、フォルモノネチン及びエクオルを含む）は、更年期及び閉経期（米国特許第５４９８６３１号（ゴーバッハ（GORBACH）、１９９６年３月１２日）、鬱病及び認知症（米国特許第５７３３９２６号（ゴーバッハ（GORBACH）、１９９８年３月３１日）、米国特許第ＵＳ６０８３５２６号（ゴーバッハ（GORBACH）、２０００年７月４日）、皮膚のしわ（米国特許第６０６００７０号（ゴーバッハ（GORBACH）、２０００年５月９日）及び癌（ＷＯ２００４０２２０２３（ノボゲン（NOVOGEN））に関連する症状の有用な治療法として確認されている。主な送達経路は、丸薬、食物、座剤、化粧品処方によるものであるか、又は身体の日焼けした領域に限られる（すなわち、ＷＯ２００４０２６２７４（ノボゲン（NOVOGEN）およびウィジャリニ（WIDYARINI）Ｓ．ら「ムラサキツメクサ由来のイソフラボノイド化合物（トリフォリウムプラテンセ（Trifolium pratense））による紫外線によって誘発される炎症および免疫抑制からの保護（Isoflavonoid compounds from red clover（Trifolium pratense）protect from inflammation and immune suppression induced by UV radiation）」、光化学及び光生物学（PHOTOCHEMISTRY AND PHOTOBIOLOGY）第７４巻、第３号、２００１年、４６５〜４７０ページに記載されているような太陽の放射線による障害を処置または予防するためのものである）。これらのイソフラボンは体内で複数の効果を発揮することが知られており、望ましくない副作用を避けるために、イソフラボンは、好適な投薬量で目的の組織／臓器を対象とし、コンプライアンスを確保する（すなわち、経口投与に適していることと局所投与にも適していることとは同じではなく、顔及び腕用の化粧品組成物として適しているからといって外陰領域で、特に吸収性物品で許容されるとは限らない）形で送達させることが重要である。さらに、皮膚貼付組成物を用いてイソフラボンを皮膚に送達することが開示されている（米国特許第ＵＳ６０８３５２６号（ゴーバッハ（GORBACH）、２０００年７月４日）が、皮膚貼付剤で使用する接着剤は外陰領域を刺激し、着用者に不快感を与えることがあり、使用者のコンプライアンスも妥協せざるを得ないのが一般常識である。高齢女性に関連した症状を治療するために高齢女性でイソフラボンと微生物の組み合わせ（ＵＳ６７１６４２４（大塚製薬（OTSUKA PHARM CO LTD）、２００４年４月６日））又はイソフラボンとステロイドの組み合わせ（ＵＳ２００４１３１５７９Ａ（エイボン（AVON））を使用することも開示されている。細菌感染のひどい身体部分に見られる天然のエコフローラ（ecoflora）を改変することによって、この処置は、外陰領域に適用した場合に大きな健康リスクを引き起こす場合がある。ステロイドには、全身への健康リスクがあることは周知である。
【００４３】
従って、関心対象皮膚にイソフラボンの安全な組成物を送達することを目標とする必要性が存在し、イソフラボンをキャリアに配合して関心対象にイソフラボンを送達する必要性が存在し、イソフラボンを外陰領域に送達する用品を使用する必要性が存在し、イソフラボンが含まれているキャリアを女性が普通に使用する吸収性物品に適合性があり、このイソフラボンが含まれているキャリアを着用者の身体に移動させることができる必要性が存在する。
【００４４】
ローション組成物には、イソフラボンを０．００１％〜４０％、好ましくは０．００１％〜約４％、より好ましくは０．０１％〜約０．５％含めることができる。イソフラボンは、大豆イソフラボン、クローバーイソフラボン、ゲネステイン、ダイゼイン、フォルモノネチン、バイオチャニンＡ、Ｓ−エクオル、Ｒ−エクオル又は模倣植物抽出物から成る群から選択することができる。模倣植物抽出物とは、本願明細書の内容では、確認されているイソフラボンの作用を模倣可能な任意の植物抽出物を意味する。
【００４５】
植物抽出物：本発明のローション組成物には、好ましい任意の植物抽出物はローション組成物の約０．０００１％〜約４０重量％、好ましくは約０．００１％〜約２０重量％、より好ましくは約０．００１％〜約５重量％の範囲の濃度で含めることができる。植物抽出物は、植物全体または植物の１つ以上の部分（例えば、葉、樹皮、根、枝等）を粉砕し、乾燥するかまたは未乾燥のまま、周囲温度または加熱して溶媒で抽出するか、または抽出器（例えばソックスレー抽出器）を用いて抽出することによって得ることができる。抽出された草木（又は植物）活性物質としては、特定の植物から抽出させたいずれかの水溶性又は油溶性の活性物質を挙げることができる。植物抽出物は一般的に、抽出溶媒も含まれている組成物の一部分として商業的な供給元から入手可能である。本発明の組成物中の植物抽出物の量は、活性成分として約０．０００００１％（組成物全重量あたり）〜約１０％（組成物全重量あたり）の範囲であってもよい。それに加えて、植物から抽出させた活性物質は粉末として供給することもできる。任意の植物抽出物は、吸収性物品の物理的一体性に明らかな悪影響が生じる（すなわち、接着剤を溶解させる）ことがないか、または吸収性コアに対して実質的に分解作用を引き起こさない限り、特に制限なく使用することができる。植物抽出物の例としては、ニガヨモギ、セイヨウニンジンボク（Agnus castus）、藻（例えば、ブラダーラック（フーカスヴェシクロシス））、アロエベラ、リンゴ、アレカカテク（Areca catechu）、ウサギギク、バジルの葉、ピーマン、サトウダイコン（ビート）、クロイチゴ、サラシナショウマ属多年草、クロスグリの果実、紅茶、ブルーベリー、ルリヂサの種、キンセンカ、ニンジンの根、センテラアジアティカ、カモミール、中国茶、チョコベリー、チャックベリー、シトロン、コーヒーの種子、ヤグルマギク、ガンコウラン、タンポポの根、ナツメヤシの果実、ドングクワッド（dong quad）、エキナシア、マツヨイグサ、ユーカリ、コロハ、ウイキョウの果実、スギナ、イチョウ、グーズベリー、グレープフルーツの果実、ブドウの種子の抽出物、緑茶、マンサク、セイヨウサンザシ、アスナロ、セイヨウトチノキ、セイヨウオトギリソウ（Hypericum pefforatum）、ツタ（ヘデラヘリックス（Herdera helix））、ラベンダー、レモンバーム、カンゾウ、モクレン、ミモザ、オート麦、緑豆、ウーロン茶、オレガノ、パンジー、モモの葉、カキ、フィロデンドロン、シャクナゲ、ローズマリー、セージ、セイヨウオトギリソウ（St. John’s wort）、スカルキャップ、シーバックソーン、ストロベリー、スイートピー、タイム、トマト、トルコオレガノ、バニラの果実、ユッカグラウカ、白イラクサ、ハイデルベリー、ヤナギラン及びウィッチヘーゼルが挙げられるが、これらに限定されない。植物抽出物の別の群としては、香料又は精油が挙げられる。
【００４６】
ローション組成物に組み込むことが可能な精油の例としては、アニス油、バームミント油、バジル油、ビーバーム油、ベルガモット油、バーチ油、ビターアーモンド油、ビターオレンジ油、キンセンカ油、カリフォルニアナツメグ油、ヒメウイキョウ油、カルダモン油、カモミール油、桂皮油、サルビア油、クローブリーフ油、丁子油、コリアンダー油、サイプレス油、ユーカリ油、ウイキョウ油、クチナシ油、ゼラニウム油、ショウガ油、グレープフルーツ油、ホップ油、イガニガクサ属油（Hyptis Oil）、クロバナエンジュ油（Indigo Bush Oil）、ジャスミン油、杜松油、キウイ油、月桂樹油、ラベンダー油、レモングラス油、レモン油、リンデン油、ラビジ油、マンダリンオレンジ油、マトリカリア油、マスクローズ油、ナツメグ油、乳香、橙花油、オレンジ油、パチョリ油、ペニロイアルハッカ油、ペパーミント油、松根油、松根タール油、ローズヒップ油、ローズマリー油、バラ油、ヘンルーダ油、セージ油、ニワトコの花油（Sambucus Oil）、白檀油、サッサフラス油、ヨーロッパモミ油、スペアミント油、マヨラナ油、ニオイスミレ油、タール油、茶木油、タイム油、ワイルドミント油（Wild Mint Oil）、セイヨウノコギリソウ油及びイランイラン油など、及びこれらの混合物が挙げられる。香油は、一般的に、花から（ユリ、ラベンダー、バラ、ジャスミン、ネロリ、イランイラン）、茎および葉から（ゼラニウム、パチョリ、プチグレン）、果実から（アニス、コリアンダー、ヒメウイキョウ、ジュニパー）、樹皮から（ベルガモット、レモン、オレンジ）、根から（メース（macis）、アンジェリカ（angelic）、セロリ、カルダモン、コスツス、アイリス、カルムス）、木から（マツ、サンダルウッド（sandelwood）、グアヤク、ヒマラヤスギ、バラ）、草から（タラゴン、レモングラス、セージ、タイム）、針および枝から（トウヒ、モミ、マツ、ハイマツ）、樹枝及び香油から（ガルバヌム、エレミ、ベンゾイン、ミルラ、オリバナム、オポポナックス）抽出させた天然のにおいのある基質である。
【００４７】
ＩＩ．キャリア：本発明のローション組成物には、身体治療剤のためのキャリアが含まれている。キャリアは、キャリアの合計濃度が身体治療剤の身体上への移動及び／又は移行を提供するのに十分であるという条件のもとに、個々のキャリア又はキャリア成分の組み合わせとして組成物中に含めることができる。キャリアは液体、固体、若しくは半固体キャリア物質か、又はこれらの物質の組み合わせであることができるが、これは、結果として得られるキャリアが、結果として得られるキャリアシステムのための特定の処理温度、及び本明細書のローション組成物を配合する際にキャリアと皮膚治療剤を組み合わせるための処理温度において、均一な混合物又は溶液を形成するという条件による。キャリアシステムの処理温度は、典型的には約６０℃〜約９０℃、より典型的には約７０℃〜約８５℃、更により典型的には約７０℃〜約８０℃の範囲である。
【００４８】
本発明のローション組成物には、キャリアがローション組成物の約６０重量％〜約９９．９重量％、好ましくは約７０重量％〜約９８重量％、より好ましくは約８０重量％〜約９７重量％の範囲のキャリア総濃度で典型的には含まれている。好適なキャリア化合物としては、約４〜約３２個の炭素原子を有する石油系炭化水素、約１２〜約２４個の炭素原子を有する脂肪族アルコール、ポリシロキサン化合物、脂肪酸エステル、アルキルエトキシレート、約１〜約６個の炭素原子を有する低級アルコール、低分子量グリコール及び多価アルコール、約１２〜約２８個の炭素原子をその脂肪鎖中に有する脂肪族アルコールエーテル、ラノリン及びその誘導体、アセトグリセリド及びＣ１２〜Ｃ２８脂肪酸のエトキシル化グリセリドなどのグリセリド及びその誘導体、並びにこれらの混合物が挙げられる。別の方法として又は組み合わせて、キャリアは、ジメチコン（１Ｅ−６ｍ２／ｓ（１ｃＳｔ）〜１００ｍ２／ｓ（１００，０００，０００センチストークス））、シクロメチコン、アルキル化シリコーン（ヘアコンディショニング剤）、シリコーンゴム、シリコーンゲル、シリコーンワックス、シリコーンコポリマー（ビニルジメチコンポリマー、フェニルビニルジメチコンポリマー、アルキル化シリコーンポリマー、ポリエチレンオキシド／シリコーンコポリマー、ポリエチレンオキシド／アルキルシリコーンコポリマー）、及びこれらの混合物などのポリシロキサン化合物の非限定的な実施例から構成させてもよい。
【００４９】
約４個〜約３２個の炭素原子を有する好適な石油系炭化水素の非限定例としては、鉱油、ワセリン、イソパラフィン、様々なその他の分枝鎖炭化水素、及びこれらの組み合わせが挙げられる。鉱油は「液体ワセリン」としても既知であり、普通は約１６〜約２０個の炭素原子を有する炭化水素のそれほど粘稠ではない混合物を指す。ワセリンはまた「ミネラルワックス」、「石油ゼリー」、及び「ミネラルゼリー」としても既知であり、普通は約１６〜約３２個の炭素原子を有する炭化水素のより粘稠な混合物を指す。ワセリンの市販例としては、プロトペット（Protopet（登録商標））１Ｓとして販売されるワセリンが挙げられ、これはコネチカット州グリニッチ（Greenwich, Connecticut）所在のウィトコ・コーポレーション（Witco Corporation）より入手可能である。
【００５０】
約１２〜約２４個の炭素原子を有する好適な脂肪族アルコールの非限定例としては、飽和非置換の一価アルコール又はこれらの組み合わせが挙げられ、その融点は約１１０℃未満の、好ましくは約４５℃〜約１１０℃である。本発明のローション組成物に用いる脂肪族アルコールキャリアの具体例としては、セチルアルコール、ステアリルアルコール、セテアリルアルコール、ベヘニルアルコール、アラキジルアルコール、リグノセリル（lignocaryl）アルコール、及びこれらの組み合わせが挙げられるが、これらに限定されない。市販のセテアリルアルコールの例はステノール（Stenol）１８２２であり、及びベヘニルアルコールはラネッテ（Lanette）２２であり、これらの両方共オハイオ州シンシナティ所在のコグニス・コーポレーション（Cognis Corporation）より入手可能である。
【００５１】
好適な脂肪酸エステルの非限定例としては、Ｃ１２〜Ｃ２８脂肪酸及び短鎖（Ｃ１〜Ｃ８、好ましくはＣ１〜Ｃ３）一価アルコールの混合物、好ましくはＣ１６〜Ｃ２４飽和脂肪酸及び短鎖（Ｃ１〜Ｃ８、好ましくはＣ１〜Ｃ３）一価アルコールの混合物から得られる脂肪酸エステルが挙げられる。こうしたエステルの代表的な例としては、メチルパルミテート、メチルステアレート、イソプロピルラウレート、イソプロピルミリステート、イソプロピルパルミテート、エチルへキシルパルミテート、及びこれらの混合物が挙げられる。好適な脂肪酸エステルはまた、より長鎖の脂肪族アルコール（Ｃ１２〜Ｃ２８、好ましくはＣ１２〜Ｃ１６）、及び乳酸のようなより短鎖の脂肪酸のエステルから得られ、その具体例には、ラウリルラクテート及びセチルラクテートが含まれる。
【００５２】
好適なアルキルエトキシレートの非限定例としては、約２〜約３０の平均エトキシ化度を有するＣ１２〜Ｃ２２の脂肪族アルコールエトキシレートが挙げられる。約１〜約６個の炭素原子を有する好適な低級アルコールの非限定例としては、エタノール、イソプロパノール、ブタンジオール、１，２，４−ブタントリオール、１，２ヘキサンジオール、エーテルプロパノール、及びこれらの混合物が挙げられる。好適な低分子量グリコール及び多価アルコールの非限定例としては、エチレングリコール、ポリエチレングリコール（例えば、分子量２００〜６００ｇ／モル）、ブチレングリコール、プロピレングリコール、ポリプロピレングリコール（例えば、分子量４２５〜２０２５ｇ／モル）、及びこれらの混合物が挙げられる。好適な炭化水素、ポリシロキサン化合物、及び脂肪族アルコールエトキシレートを包含するキャリア成分のより詳細な記載は、１９９７年７月１日にロー（Roe）らに発行された、「ローションを適用したトップシートを有するおむつ（Diaper Having A Lotionedトップシート）」という題名の米国特許番号第５，６４３，５８８号に見ることができる。
【００５３】
一つの実施形態では、キャリアには、前述の１つ以上の石油系炭化水素及び１つ以上の脂肪族アルコールの組み合わせが含まれている。約４〜約３２の炭素原子を有する１つ以上の石油系炭化水素を、約１２〜約２２の炭素原子を有する１つ以上の脂肪族アルコールとの組み合わせで用いる場合、石油系炭化水素は、ローション組成物の約２０重量％〜約９９重量％、好ましくは約３０重量％〜約８５重量％、より好ましくは約４０重量％〜約８０重量％の範囲の総濃度で含まれ、脂肪族アルコールは、ローション組成物の約０．２重量％〜約６５重量％、好ましくは約１重量％〜約５０重量％、より好ましくは約２重量％〜約４０重量％の範囲の総濃度で含まれる。
【００５４】
Ｃ４〜Ｃ３２炭化水素、Ｃ１２〜Ｃ２２脂肪族アルコール、及び燻蒸シリカを含む石油系キャリアシステムは、キャリア、皮膚治療剤、及び任意の任意成分の均一な混合物を提供し、この均一な混合物は皮膚と皮膚治療剤との間の十分な接触を確実にし、その結果として皮膚疾患の有効な予防及び治療をもたらすと考えられている。好ましい石油系キャリアシステム中に、又は本明細書に記載されるいずれかのその他のキャリアと共に含むのに好適な燻蒸シリカとしては、コロイド状の発熱性シリカ顔料が挙げられ、これはキャブ−オー−シル（Cab−O−Sil）（登録商標）の商品名で販売され、これはイリノイ州タスコラ所在のキャボット社（Cabot Corporation）より市販されている。これらのコロイド状の発熱性シリカ顔料は、約０．１ミクロン〜約１００ミクロンの平均粒径を有する小顆粒発熱性シリカ顔料である。市販のキャブ−オー−シル（Cab−O−Sil）（登録商標）シリカ顔料の具体例には、キャブ−オー−シル（Cab−O−Sil）（登録商標）ＴＳ−７２０（ポリジメチルシロキサン処理された燻蒸シリカ）、キャブ−オー−シル（Cab−O−Sil）（登録商標）ＴＳ−５３０（トリメチルシラン化された燻蒸シリカ）、及びキャブ−オー−シル（Cab−O−Sil）（登録商標）ＴＳ−６１０（ジメチルジシラン化された燻蒸シリカ）が挙げられる。燻蒸シリカはローション組成物に所望の粘度又は増粘特性を提供し、ローション組成物の約０．０１重量％〜約１５重量％、好ましくは約０．１重量％〜約１０重量％、より好ましくは約１重量％〜約５重量％の範囲の濃度で典型的には含まれる。
【００５５】
燻蒸シリカは単一で用いても、又はタルク、処理済みベントナイトを含むベントナイト、処理済みクトライトを含むヘクトライト、処理済みケイ酸カルシウムを含むケイ酸カルシウム、ケイ酸マグネシウム、ケイ酸アルミニウムマグネシウム、ステアリン酸亜鉛、ソルビトール、コロイド状二酸化シリコーン、鯨蝋、カルナバワックス、ビーワックス、キャンデリラワックス、パラフィンワックス、微結晶ワックス、カストロールワックス、セレシン、エスパルト、アウリクリ（ouricuri）、レゾワックス（rezowax）、ポリエチレンワックス、Ｃ１２〜Ｃ２４脂肪酸、ポリヒドロキシ脂肪酸エステル、ポリヒドロキシ脂肪酸アミド、ポリメタクリレートポリマー、ポリメタクリレート及びスチレンコポリマー、若しくはこれらの組み合わせのような、その他の任意の粘性剤、増粘剤若しくは固定化剤と組み合わせて用いることも可能である。これらのその他の任意の粘度変性剤又は増粘剤又は固定化剤はまた、ローション組成物の約０．０１重量％〜約１５重量％の範囲の合計濃度で含有させる。別の好適な粘性剤又は増粘剤の非限定具体例には、ベントン（Bentone）（登録商標）３８として販売されるベントナイトが挙げられ、これはレオックス・インコーポレーション（Rheox Incorporation）より入手可能である。
【００５６】
好適な固定化剤の他の非限定例としては、天然又は合成のワックスが挙げられる。本明細書で使用する時、用語「ワックス」とは、ワックス状の構成成分を有し、融点が周囲温度よりも高い、特に２５℃よりも高い油溶性物質を指す。ワックスは固体から半固体（クリーム状）の稠度を有し、結晶性であってもなくてもよく、液化点よりも少し高い温度では比較的低い粘度を有する物質である。ワックスは、合成及び天然の１つ以上の構成要素から構成させることができ、ワックス状の構成成分を有する任意の油溶性物質（これらの混合物を含む）で構成させるか、これらを含むことができる。ローションに組み込むことが可能な好適なワックスとしては、蜜蝋、キャンデリラワックス、カルナウバワックス、セレシンワックス、カカオバター、コルクワックス、エスパルトグラスワックス（esparto gras wax）、果実から誘導されるワックス（例えば、ヤマモモワックス、オレンジワックス、レモンワックス、グレープフルーツワックスおよびヤマモモワックスなど）、グアルマ（Guaruma）ワックス、水素添加ホホバワックス、水素添加微晶性ワックス、水素添加コメヌカワックス、和ロウ、ホホバワックス、ラノリンワックス、ミネラルワックス、例えば、セレシンオウリキュリー（ceresine ouricury）及びオゾケライトワックス、ミンクワックス、モンタンワックス、モタン（motan）酸ワックス、モタン（motan）ワックス、パラフィン、ＰＥＧ−６蜜蝋、ＰＥＧ−８蜜蝋、ポリアルキレン及びポリエチレングリコールワックス、レゾワックス（rezowax）、コメヌカワックス、米芽ワックス（rice shoot wax）、サソールワックス（Sasol wax）、セラックワックス、オオムギ麦芽外殻ワックス、スパーマテシ（spermateci）、サトウキビワックス、ヒマワリワックス、合成蜜蝋、合成キャンデリラワックス、合成カルナバワックス、合成和ロウ、合成ホホバワックス、羊毛脂、塩素化ナフタレン系ワックス（例えば「ハロワックス（Halowax）」）を挙げることができる。
【００５７】
キャリアは疎水性であることが好ましい。更に、本発明のローション組成物が界面活性剤を含まないことが好ましい。そのため、本発明の好ましい実施形態では、ローションは少なくともトップシートの疎水性度と同じ大きさの疎水性度を有し、ローションの疎水性度は主として界面活性剤構成成分を欠いていることに起因する。何らかの条件下で、疎水性キャリアの湿潤性を増加させる必要がある場合には、低いエトキシル化度、及び約７未満のＨＬＢ値を一般に有するポリオキシエチレンアルキルエーテル、アルキルエトキシレート、アルキルエトキシレート化アミン、ポリエチレングリコールエステル、及び／又はソルビタン脂肪酸エステルのような湿潤剤を任意に添加してもよい。好適な添加剤は均一な混合物を形成するためにキャリアと混和性である。本発明の生理用品を用いる人々の皮膚感受性が強いこともあるため、これらの湿潤剤は皮膚に対して相対的に低刺激性及び非刺激性であることが必要である。典型的には、これらの湿潤剤は皮膚に非刺激性であるためだけでなく、いずれかの内在するティッシュ積層体構造への、他の望ましくない効果、例えば引張り強度の減少を回避するためにも非イオン性である。好適な湿潤剤は典型的には１０未満の、好ましくは９未満の、より好ましくは８未満の、更により好ましくは７未満のＨＬＢ値を有する。
【００５８】
好適な湿潤剤の非限定具体例としては、ノニルフェノール又はポリオキシエチレンノニルフェニルエーテル（エトキシル化２０；ＨＬＢ５．７）、オクチルフェノール又はポリオキシエチレンオクチルフェニルエーテル（エトキシル化１０；ＨＬＢ３．５）、ステアリルアルコール又はポリオキシエチレンステアリルエーテル（エトキシル化２０；ＨＬＢ４．９）、ステアリルアミン又はポリオキシエチレンステアリルアミン（エトキシル化２０；ＨＬＢ４．９）、ポリエチレングリコール２００ジラウレート（ＨＬＢ５．９）、ポリエチレングリコール２００ジステアレート（ＨＬＢ４．８）、モノステアリン酸ソルビタン（ＨＬＢ４．７を有する「スパン（Span）６０」）、ソルビタントリステアレート（ＨＬＢ２．１を有する「スパン（Span）６５」）、ソルビタンモノオレエート（ＨＬＢ４．３を有する「スパン（Span）８０」）、ソルビタントリオレエート（ＨＬＢ１．８を有する「スパン（Span）８５」）が挙げられ、これらの各々はセル・ケミカル・カンパニー（Cell Chemical Company）（韓国、インチョン）又はユニケマ（米国デラウェア州ニューカッスル（New Castle, Delaware））より入手可能である。
【００５９】
ローション組成物の湿潤性を所望の程度に増加させるために必要な湿潤剤の量は、そのＨＬＢ値及び用いられるキャリアのＨＬＢの程度並びに同様の要因に依存する。ローション組成物には、組成物の湿潤特性を増加させるために必要な場合、約１〜約５０％の湿潤剤を含むことができる。好ましくは、ローション組成物は、湿潤性増加のために必要な場合、約１〜約２５％、最も好ましくは約１０〜約２０％の湿潤剤を含有する。
【００６０】
ＩＩＩ．吸収性物品本発明のローション組成物は、好ましくは、生理用品上への適用から身体へと移動する。これらの製品はトップシート、バックシート、及びトップシートとバックシートとの間に配置された吸収性コアを含むことも可能で、各構成成分は身体又は着用者接触面及び衣類面を有する。「身体接触面」及び「着用者接触面」という用語は、本明細書において同義的に使われ、及び、使用時間中に、着用者／使用者と物品面とを接触させるために、着用者／使用者の身体に対向又は隣接させて着用又は配置することを意図した、任意の物品構成成分の１つ以上の面を指す。本明細書で使用する時、「衣類面」という用語は、着用者の下着に隣接して着用又は配置させることを意図した任意の物品構成成分の外側若しくは外部の面を意味するか、又は使用者が着用しない吸収性物品の場合には、衣類面は、典型的には使用者の手又は吸収性物品の使用を助ける他用具に隣接して配置する。本明細書で使用する時、「着用者」及び「使用者」という用語は、本発明で、着用することを意図せずに、むしろ本発明のローション組成物を移動させつつ、身体滲出液を吸収するために用いることを意図し得る吸収性物品について考える場合、同義的に用いられる。
【００６１】
Ａ．トップシート：吸収性物品は、有害性が低く、柔らかな感触で、着用者の身体に非刺激性であるものなど、いずれかの既知の又はその他の有効なトップシートを含んでよい。好適なトップシート材料としては、着用者の身体に向いて配置され、身体に接触し、流体がトップシートを通って着用者の皮膚に逆流せずに、排泄物が迅速に通って浸透できる、液体透過性材料が挙げられる。トップシートは、トップシートを通る流体の迅速な移動を可能にできる一方、ローション組成物が着用者の身体の外側又は内側部分の上へ移動又は移行するようにする。好適なトップシートは、生理用ナプキン、パンティライナー、失禁パッド等のような生理用品を製造する分野で周知のような種々の材料、例えば、織物材料及び不織布材料；有孔性の形成済み熱可塑性フィルム、有孔性プラスチックフィルム及び繊維を絡み合わせてある有孔性フィルムなどの有孔性フィルム材料；ハイドロフォーミングされている熱可塑性フィルム；多孔質発泡体；網状熱可塑性フィルム；網状熱可塑性フィルム；熱可塑性スクリム；又はこれらの組み合わせから製造することができる。
【００６２】
トップシートに不織布ウェブの形態の不織布繊維性材料を含める場合には、その不織布ウェブは不織布ウェブを製造するいかなる既知の手順により製造することもできるが、この非限定例としては、スパンボンディング、カーディング、湿式、風成、メルトブロウン、ニードルパンチング、機械的絡み合わせ、熱機械的絡み合わせ、及び湿式絡み合わせが挙げられる。
【００６３】
Ｂ．バックシート：本発明の生理用品は、バックシートもまた含む。生理用品に吸収される、及び含有された滲出液が外部に漏れるのをバックシートが防止する、という条件のもとにバックシートは、いかなる既知の又はそれ以外の有効なバックシート材料であり得る。バックシートとして使用するのに好適な可撓性材料としては、生理用ナプキン、パンティライナー、失禁パッド等のような生理用品を製造する分野で周知のような織物材料及び不織布材料、層状組織、ポリマー被膜、例えば、ポリエチレン及び／又はポリプロピレンの熱可塑性フィルム、複合材、例えば、フィルムコーティングされている不織布材料、又はこれらの組み合わせが挙げられるが、これらに限定されない。
【００６４】
Ｃ．吸収性コア：生理用品は、吸収材もまた含む。吸収性コアは、トップシートとバックシートの間に典型的には配置される。本明細書で使用する「吸収性コア」という用語は、尿、血液、経血、及び身体滲出液中に見出される水分のような水性流体を、吸収、分配、及び貯蔵するために好適な材料又は材料の組み合わせを指す。吸収性コアの大きさと形状は、吸収能力要件に適合するように、及び着用者／使用者に安心感を提供するように変更可能である。本発明に用いるのに好適な吸収性コアは、液体吸収性材料が吸収能力要件に適合するように構成又は構築することができるという条件のもとで、吸収性物品に用いられる当該技術分野において既知の、いかなる液体吸収性材料にもすることができる。吸収性コアとして使用するのに好適な液体吸収材料の非限定例としては、生理用ナプキン、パンティライナー、失禁パッド等のような生理用品を製造する分野で周知のような一般的にエアフェルトと称される粉砕木材パルプ；クレープセルロースワディング；超吸収性ポリマーなどの吸収性ゲル材料、例えばヒドロゲル形成ポリマーゲル化剤；化学的に硬化、変性、又は架橋させたセルロース繊維；コフォームなどのメルトブローポリマー；クリンプ状ポリエステル繊維などの合成繊維；ティッシュラップ及びティッシュラミネートなどのティッシュ；毛管経路状繊維；吸収性フォーム；吸収性スポンジ；合成ステープルファイバー；ピートモス；又はいずれかの同等の材料；又はこれらの組み合わせが挙げられる。
【００６５】
ＩＶ．身体を処理する方法：本発明はまた、本明細書に記載のローション組成物により身体を処理する方法に関する。一般に、安全且つ有効な量のローション組成物を本明細書に記載した吸収性物品に適用し、こうした安全且つ有効な量は、約０．００１５ｍｇ／ｃｍ２（０．０１ｍｇ／インチ２）〜約１００．５ｍｇ／ｃｍ２（１００ｍｇ／インチ２）、好ましくは約０．００３ｍｇ／ｃｍ２（０．０２ｍｇ／インチ２）〜約１２．４ｍｇ／ｃｍ２（８０ｍｇ／インチ２）、より好ましくは約０．０２ｍｇ／ｃｍ２（０．０１５ｍｇ／インチ２）〜約７．７５ｍｇ／ｃｍ２（５０ｍｇ／インチ２）のローション組成物を吸収性物品に適用することを含む。
【００６６】
典型的には、少なくとも約０．０００１５ｍｇ／ｃｍ２（０．００１ｍｇ／インチ２）〜約１５．５ｍｇ／ｃｍ２（１００ｍｇ／インチ２）、好ましくは約０．０００６ｍｇ／ｃｍ２（０．００４ｍｇ／インチ２）〜約１１ｍｇ／ｃｍ２（７２ｍｇ／インチ２）、より好ましくは約０．００５ｍｇ／ｃｍ２（０．０３ｍｇ／インチ２）〜約６．２ｍｇ／ｃｍ２（４０ｍｇ／インチ２）の組成物が、典型的には吸収性物品を一回につき約３時間使用する間に皮膚に移動するように、安全且つ有効な量の本発明のローション組成物を吸収性物品に適用する。吸収性物品は一般に日中は３〜６時間毎に、夜間の保護に１度取り換えられるが、結果として少なくとも安全且つ有効な量の約０．０００４５ｍｇ／ｃｍ２（０．００３ｍｇ／インチ２）〜約１２４ｍｇ／ｃｍ２（８００ｍｇ／インチ２）、好ましくは約０．００１８ｍｇ／ｃｍ２（０．０１２ｍｇ／インチ２）〜約８８ｍｇ／ｃｍ２（５７６ｍｇ／インチ２）、より好ましくは約０．０１５ｍｇ／ｃｍ２（０．０９ｍｇ／インチ２）〜約４９．６ｍｇ／ｃｍ２（３２０ｍｇ／インチ２）のローション組成物が、一日間隔（２４時間周期）で投与される。しかしながら、本明細書に記載した吸収性物品を介して本発明のローション組成物を着用者の身体上へ移動させることは、本明細書に記載した身体治療効果をもたらす目的で安全且つ有効な量のローション組成物を適用させる場合に限り、１日、数日間、数週間、数ヶ月間、又は数年間、適切な間隔で生じさせてよい。
【００６７】
本発明のローション組成物は、ローション組成物を使い捨て吸収性物品のような吸収性製品上に分配するための任意の既知の又はそれ以外の有効な技術により、吸収性物品に適用することができる。ローション組成物を吸収性物品上に適用する方法の非限定例としては、噴霧、印刷（例えばフレキソ印刷）、コーティング（例えば接触スロットコーティング及びグラビアコーティング）、押出成形、又はこれらの適用技術の組み合わせが挙げられる。ローション組成物の吸収性物品上への適用は、ローション組成物の投与及び／又は付着のためのローション組成物の皮膚上への移動又は移行を促進し、結果として安全且つ有効な量の組成物が皮膚疾患の改善された予防及び減少のために適用されることになる。そのため、身体に移動又は移行するであろうローション組成物の安全且つ有効な量は、施すローション組成物の種類、ローション組成物を施す身体接触面の部分、及びローション組成物を適用させるために用いる吸収性物品の種類といった要因に左右される。
【００６８】
ローション組成物が含まれている吸収性物品の使用中に、着用者の身体に移動する本明細書に記載のローション組成物の量を決定する際には、いずれかの好適な方法を使用することができる。ローション組成物の移動量を計算する方法の具体例としては、生体内皮膚類似物質の分析を伴うガスクロマトグラフ分析手順とその他の定量的分析手順とが挙げられる。好適なガスクロマトグラフ手順は、１９９９年９月１６日に公開されたドナルドＣ．ロー（Donald C．Roe）らのＰＣＴ国際公開特許ＷＯ９９／４５９７３に、より詳細に記載されている。
【００６９】
Ｖ．製造方法：本発明のローション組成物は、本明細書に定義されている必須の皮膚治療剤が含まれているローション組成物を提供するのに好適ないかなる既知の又はその他の有効な技術によって調製されてもよい。一般に、ローション組成物は、最初に、ワセリン及びベヘニルアルコールのような好適なキャリアが含まれているキャリアシステムを燻蒸シリカ増粘剤と組み合わせて製造することにより調製される。次に、皮膚治療剤及び任意のスキンコンディショニング剤のようないずれかの任意成分を含む混合物が、キャリアシステムに約８０℃の融解混合温度で添加される。キャリアシステム、皮膚治療剤、及びいずれかの任意成分が、典型的には約８０℃の温度で処理されるが、これらの物質は、約６０℃〜約９０℃、好ましくは約７０℃〜約９０℃の範囲の温度で処理され得る。結果として得られたローション組成物を続いてノードセン（Nordsen）ＥＰ１１−１２−０２のような接触塗布器を用いて吸収性物品のトップシート構成成分に適用する。
【００７０】
本発明のローション組成物は、組成物を吸収性物品に適用した結果、安全且つ有効な量の組成物を、吸収性物品の着用者の皮膚上に移動させることができるように調製する。そのため、ローション組成物は、周囲条件下で相対的に不動であり、吸収性物品の着用者接触面上に局在し、体温で着用者に容易に移動可能であり、更に過激な貯蔵条件下で完全に液体ではないような製品稠度を有するのが好ましい。換言すれば、ローション組成物は、組成物が通常の接触、着用者の動き、及び／又は身体の熱により皮膚上に容易に移動するように、周囲条件（約２５℃）及び／又は体温（約３７℃）で、固体又は半固体である。ローション組成物の稠度は、稠度を測定するための透過度計の使用を伴うＡＳＴＭ  Ｄ５試験方法により測定することができる。典型的には、本発明のローション組成物は、４０℃でＡＳＴＭ  Ｄ５試験方法中に概説された試験手順により測定した場合に、約１０〜約３００、好ましくは約２０〜約２５０、より好ましくは約３０〜約２００の稠度を有する。
【００７１】
このローション組成物の固体又は半固体の稠度は、所望のローションの利益を付与するために吸収性物品に適用されるべき組成物の相対的に低い濃度を設ける。「半固体」とは、組成物が吸収性物品上の所望の位置に相対的に静止して留まり、並びに物品の望ましくない位置に流動又は移行する傾向がないように、組成物が、擬塑性体又は塑性液体の典型的なレオロジーを有することを意味する。本発明の固体ローション組成物は、同様に特定の位置に留まることができ、物品の望ましくない位置に流動又は移行しない。これらの固体及び半固体のローション組成物は、組成物を物品の意図された位置に局在した状態に保持するのに十分高いが、着用者の皮膚ヘの移動を妨げる程には高くはない粘度を有する。典型的には、固体及び半固体のローション組成物の最終製品の粘度は、４０℃、約０．３Ｐａ（３×１０３ダイン／ｃｍ２）の剪断応力条件下（吸収性物品を約４０℃の温度条件下で貯蔵又は輸送する間に、組成物に加わる剪断応力）で、約１０００Ｐａ．ｓ（１．０×１０６センチポアズ）〜約１０，０００，０００Ｐａ．ｓ（１．０×１０１０センチポアズ）である。
【００７２】
しかしながら、固体及び半固体のローション組成物は、結果として組成物の変形をもたらす剪断応力を適用することにより、組成物の皮膚上への移動又は移行できるように流動可能とされ得る。約４０℃の温度条件下で吸収性物品の着用中に少なくとも１度加わる剪断応力は、典型的には約１００ｋＰａ（１．０×１０６ダイン／ｃｍ２）であり、この剪断応力によりローション組成物の粘度は約０．０１Ｐａ．ｓ（１．０×１０１センチポアズ）〜約１００Ｐａ．ｓ（１．０×１０５センチポアズ）となる可能性がある。加わった剪断応力下で、ローション組成物がより低い粘度の値を実現するのは、組成物に固体構成成分が含まれている一方で、組成物に液体物質も含まれているという事実によるものと考えられる。本明細書に記載されている吸収性物品の着用中に、結果としてローション組成物を着用者の皮膚上へ有効に移動させるように、着用者の皮膚と物品の身体接触面との間に十分な潤滑を得るために低粘度を実現することが望ましい。様々な剪断応力での粘度は、レオメトリックス・インコーポレーション（Rheometrics Incorporation）より入手可能なレオメーター（Rheometer）ＳＲ−２０００のような当該技術分野において既知のレオメーターを使用して測定することができる。
【００７３】
ローション組成物は、身体の外面又は内面上へローション組成物を送達させるために、典型的には吸収性物品のトップシートに適用される。ローション組成物は、吸収性物品の他の領域に適用されることもでき、これらの領域としてはウィング、サイドパネル、吸収性コア、コアとトップシートとの中間の任意の二次層、又は吸収性物品の任意のその他の区域が挙げられる。
【００７４】
本明細書に記載した使い捨て吸収性物品のような吸収性物品を組み立てる方法としては、使い捨て吸収性物品を構築及び構成するための当該技術分野において既知の従来技術が挙げられる。例えば、バックシート及び／又はトップシートは、接着剤の均一な連続層、接着剤の模様付き層、又は接着剤の別個の線、螺旋、若しくは点の配列により、吸収性コアに結合されるか、又は互いに結合されることができる。満足のいくものであることが判明した接着剤は、ミネソタ州セントポールのＨ．Ｂ．フーラー社（H. B. Fuller Company）により、ＨＬ−１２５８又はＨ−２０３１の名称で製造されている。
【００７５】
本発明のローション組成物はまた、組成物をエアゾールディスペンサー、引き金式スプレーディスペンサー、ポンプ式スプレーディスペンサー、瓶、スティックディスペンサー、コットンボール、貼付剤、スポンジ、及び任意の他の種類の既知である、又はそれ以外の有効な送達媒体の中に組み入れることにより皮膚上に送達することができる。
【実施例】
【００７６】
以下の実施例は、本発明の範囲内の実施形態を更に説明及び明示する。これら実施例は、説明の目的のためのみに提示するものであって、本発明の精神及び範囲から逸脱することなく、多くの変更が可能であるので、本発明を限定するものと解釈すべきではない。すべての例示した濃度は、特に指定のない限り、重量−重量パーセントである。
【００７７】
（実施例Ｉ）：下記の表１に例示した組成物は、本発明ローション組成物のキャリアシステムの代表例である。キャリアシステムは一般に、重量で、ワセリンとベヘニルアルコールのような脂肪族アルコールとを組み合わせ、次いで低速プロペラミキサーを用いて攪拌しながら混合物を約８０℃の温度に加熱することにより調製する。次に、粘性剤又は増粘剤を前記混合物に添加し、成分を最終キャリアシステムへと剪断混合する。好適な粘性剤又は増粘剤としては、ベヘネス−１０、燻蒸シリカ、ベントナイト、及びステアレス−２が挙げられ、その際粘性剤又は増粘剤は単独で又は組み合わせて用いる。これらの成分をイカウルトラツラックスシェアミキサー（IKA Ultra Turrax Shear Mixer）で１１５１．９ｒａｄ／ｓ（１１，０００回転／分（ｒｐｍ））で剪断混合することができる。
【００７８】
あるいは、ワセリン、脂肪族アルコール、及び粘性剤又は増粘剤を組み合わせ、撹拌しながら８０℃に加熱して前記成分を融解させ、次いで５２５ｒａｄ／ｓ（５，０００ｒｐｍ）で動作するトクシュキカＴＫロボミクス（Tokusyu Kika TK Robo Mics）のような高速ブレードミキサーを用いて混合して最終キャリアシステムにすることができる。
【表１】
2009507547.tif 000005
重量％−重量パーセント
１−  ワセリン、ウィトコ社（Witco Corporation）よりプロトペット（Protopet）（登録商標）１Ｓとして入手可能
２−  ベヘニルアルコール、コグニス・コ−ポレーション（Cognis Corporation）よりラネット（Lanette）２２として入手可能
３−  セテアリルアルコール、コグニス社（Cognis Corporation）よりステノール（Stenol）１８２２として入手可能
４−  ベヘネス−１０、コグニス社（Cognis Corporation）よりマージタール（Mergital）（登録商標）Ｂ１０として入手可能
５−  燻蒸シリカ、キャボット社（Cabot Corporation）よりキャブオーシル（Cabosil）（登録商標）ＴＳ−７２０として入手可能
６−  ベントナイト、レオックス社（Rheox Incorporation）よりベントン（Bentone）（登録商標）３８として入手可能
７−  ステアレス−２、ユニケマ社（Uniqema Corporation）よりブリジ（Brij）（登録商標）７６２として入手可能
８−  プロピレングリコールＭｎ３，５００、シグマ・アルドリッチ社（Sigma Aldrich）製、番号２０２３５５
【００７９】
（実施例ＩＩ〜ＩＸ）：下記の表２に説明されている次の実施例ＩＩ〜ＩＸは、表１に識別されているキャリアシステムが含まれている本発明のローション組成物の代表例である。ローション組成物は、酸化亜鉛皮膚治療剤のプレミックス溶液を配合し、そして酸化亜鉛プレミックスを他の皮膚治療剤及びパンテノール及びグリセリンのようないずれかの任意成分に添加することにより、又はヘキサミジン及びナイアシンアミド皮膚治療剤の皮膚治療溶液といずれかの任意成分とを配合することにより調製される。皮膚治療溶液は次に、表１に記載されるもののようなキャリアシステムに添加されるが、その際皮膚治療溶液及びキャリアシステムは、攪拌しながら約８０℃の温度に加熱される。すべての成分はローション組成物の重量に基づいて包含される。これらのローション組成物は、皮膚紅斑、悪臭、及び皮膚細菌感染のような皮膚疾患の抑制に特に有効である。
【表２】
2009507547.tif 000006
８−  コボ・インコ−ポレーション（Kobo Incorporation）より入手可能なウルトラファイン（ULTRAFINE）３５０酸化亜鉛、ユニケマ・インコーポレーション（Uniqema Incorporation）より入手可能なアーレセル（Arlecel（登録商標））Ｐ１００、及びイケダ・インコーポレーション（Ikeda Incorporation）より入手可能なサラコス（Salacos（登録商標））９９の酸化亜鉛の混合物が７０％含まれている酸化亜鉛プレミックス
９−  ヘキサミジン、ヘキサミジンジイセチオネートとしてラボラトリーズ・セロロバイロジクーズ（Laboratories Serolobilogiques）よりエラスタブ（ELASTAB）ＨＰ１００の商品名により入手可能
１０−  パンテノール、ロシュ・ビタミンズ・インコーポレーション（Roche Vitamins Incorporation）よりＤ−パンテノールとして入手可能
１１−  グリセリン、プロクター・アンド・ギャンブル・カンパニー（Procter & Gamble Company）よりグリセリン（Glycerine）、ＵＳＰコーシャ（USP Kosher（登録商標））として入手可能
１２−  ナイアシンアミド、ＥｍインダストリーズＨＨＮ（Em Industries HHN）より入手可能
１３−  酸性化ナイアシンアミド、ナイアシンアミドとステアリン酸の反応により製造させる
１４−  カモミール、ドラゴコ（Dragoco）よりフィトコンセントロール（Phytoconcentrol）カモミールとして入手可能
１５−  シルクプロテイン、クローダ社（Croda, Inc.）（ニュージャージー州パーシッパニー）製クロシルク（CROSILK）（登録商標）
【００８０】
実施例ＩＩのローション組成物は続いて、プロクター・アンド・ギャンブル・カンパニー（Procter & Gamble Company）により製造される、オールウェイズ・ウィング・レギュラー・ロング（Allways Wing Regular Long）のような生理用ナプキン製品のドライ・ウィーブ（DRI−WEAVE）トップシートの着用者接触面全体に適用される。安全且つ有効な量のローション組成物を皮膚上に送達するために、約０．４ｍｇ／ｃｍ２（２．６ｍｇ／インチ２）のローション組成物が、約９０℃のヘッド作動温度を有するメルテックス（Meltex）ＥＰ４５ホットメルト塗布器を用いてトップシートに適用される。
【００８１】
実施例ＩＩＩのローション組成物は続いて、プロクター・アンド・ギャンブル・カンパニー（Procter & Gamble Company）により製造される、エンバイブ・ミニフォーム（Envive Miniform）のような生理用ナプキン製品のドライ・ウィーブ（DRI−WEAVE）トップシートの着用者接触面全体に、組成物を噴霧することにより適用される。安全且つ有効な量のローション組成物を皮膚上に送達するために、約４．０ｍｇ／ｃｍ２（２５．８ｍｇ／インチ２）のローション組成物がトップシートに、約９０℃のヘッド作動温度及び約１６キロパスカル（ＫＰａ）の噴霧圧力を有する、ホットメルト空気圧式ダイナテク（Dynatec）Ｅ８４Ｂ１７５８噴霧ヘッドを用いて適用される。
【００８２】
実施例ＩＶのローション組成物は続いて、生理用ナプキン製品の疎水性スパンボンドバイコンポーネントポリエチレン／ポリプロピレントップシート（ワシントン州ワショーガル（Washougal, WA）のＢＢＡ）の着用者接触面上に、組成物のストライプ模様の配置をスロットコーティング（ノードセン（Nordsen）ＥＰ１１−１２−０２）することにより適用される。安全且つ有効な量のローション組成物を皮膚上に送達するために、ローション組成物はトップシートにストライプ模様配置に適用され、このストライプ模様配置は、各々が４０ミリメートル（ｍｍ）幅×２００ｍｍ長さである少なくとも２本のストライプを含み、並びにその上に適用された約０．８ｍｇ／ｃｍ２（５．２ｍｇ／インチ２）の組成物を有する。
【００８３】
実施例Ｖのローション組成物は続いて、プロクター・アンド・ギャンブル・カンパニー（Procter & Gamble Company）により製造される、オールデイズ・レギュラー（Alldays Regular）のようなパンティーライナー製品のドライ・ウィーブ（DRI−WEAVE）トップシートの着用者接触面上に、組成物のストライプ模様配置を噴霧することにより適用される。安全且つ有効な量のローション組成物を皮膚上に送達するために、ローション組成物はトップシートにストライプ構造で適用するが、このストライプ構造には、各々が幅４０ミリメートル（ｍｍ）×長さ２００ｍｍであるとともに、その上に適用されている約０．６ｍｇ／ｃｍ２（３．９ｍｇ／インチ２）の組成物を有する少なくとも２本のストライプが含まれている。ローション組成物は、約９０℃のヘッド作動温度及び約１６キロパスカル（ＫＰａ）の噴霧圧力を有する、ホットメルト空気圧式ダイナテク（Dynatec）Ｅ８４Ｂ１７５８噴霧ヘッドを用いてトップシートに適用する。
【００８４】
実施例ＶＩのローション組成物は続いて、プロクター・アンド・ギャンブル・カンパニー（Procter & Gamble Company）により製造されているオールデイズ・レギュラー（Alldays Regular）のようなパンティーライナー製品のドライ・ウィーブ（DRI−WEAVE）トップシートの着用者接触面全体に適用する。安全且つ有効な量のローション組成物を皮膚上に送達するために、約０．２ｍｇ／ｃｍ２（１．３ｍｇ／インチ２）のローション組成物が、約９０℃のヘッド作動温度を有するメルテックス（Meltex）ＥＰ４５ホットメルト塗布器を用いてトップシートに適用される。
【００８５】
実施例ＶＩＩのローション組成物は続いて、プロクター・アンド・ギャンブル・カンパニー（Procter & Gamble Company）により製造されているエンバイブ・ミニフォーム（Envive Miniform）のような生理用ナプキン製品のドライ・ウィーブ（DRI−WEAVE）トップシートの着用者接触面全体に組成物を噴霧することにより適用される。安全且つ有効な量のローション組成物を皮膚上に送達するために、約１．０ｍｇ／ｃｍ２（６．５ｍｇ／インチ２）のローション組成物が、トップシートに、約９０℃のヘッド作動温度及び約１６キロパスカル（ＫＰａ）の噴霧圧力を有する、ホットメルト空気圧式ダイナテク（Dynatec）Ｅ８４Ｂ１７５８噴霧ヘッドを用いて適用される。
【００８６】
実施例ＶＩＩＩのローション組成物は続いて、プロクター・アンド・ギャンブル・カンパニー（Procter & Gamble Company）により製造されているオールデイズ・レギュラー（Alldays Regular）のようなパンティーライナー製品のドライ・ウィーブ（DRI−WEAVE）トップシートの着用者接触面全体に適用される。安全且つ有効な量のローション組成物を皮膚上に送達するために、約０．４ｍｇ／ｃｍ２（２．６ｍｇ／インチ２）のローション組成物を、約９０℃のヘッド作動温度を有するメルテックス（Meltex）ＥＰ４５ホットメルト塗布器を用いてトップシートに適用する。
【００８７】
実施例ＩＸのローション組成物は続いて、生理用ナプキン製品の疎水性スパンボンドバイコンポーネントポリエチレン／ポリプロピレントップシート（ワシントン州ワショーガルのＢＢＡ）の着用者接触面上に、組成物のストライプ模様配置をスロットコーティング（ノードセン（Nordsen）ＥＰ１１−１２−０２）することにより適用する。安全且つ有効な量のローション組成物を皮膚上に送達するために、約３．０ｍｇ／ｃｍ２（１９．５ｍｇ／インチ２）のローション組成物が、トップシートに適用される。
【００８８】
生理用品については、ローション付加レベルの量は、おむつのような他の吸収性物品に用いられているものより著しく高くすることができる。理論によって制限されないが、例えばローションは、３ｍｇ／ｃｍ２、４ｍｇ／ｃｍ２、５ｍｇ／ｃｍ２、６ｍｇ／ｃｍ２、７ｍｇ／ｃｍ２、８ｍｇ／ｃｍ２、９ｍｇ／ｃｍ２、又は１０ｍｇ／ｃｍ２の水準で添加され得ると考えられている。これらのレベルはローションにより実際に覆われている領域を指す。
【００８９】
「発明を実施するための最良の形態」で引用したすべての文献は、その関連部分において本明細書に参考として組み込まれるが、いかなる文献の引用も、それが本発明に対する先行技術であることを認めるものと解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００９０】
本発明の特定の実施形態を例示し記載してきたが、本発明の精神及び範囲から逸脱することなく他の様々な変更及び修正を実施できることが、当業者には明白であろう。したがって、本発明の範囲内にある全てのそのような変更及び修正は、付随する請求項に包含されるものとする。
【００９１】
本明細書は、本発明の主題を特定して指摘し明確に請求する特許請求の範囲をもって結論とするが、本発明は、添付の図面と関連させた次の説明から更に容易に理解されると考えられる。
【図面の簡単な説明】
【００９２】
【図１】トップシート及びローション組成物を有する生理用品の透視図。
【図１】
2009507547.tif 000007